(57)【要約】【課題】アダプタに個別の電源を組み込むことなく、かつ、操作器の電源容量を大きくすることなく、操作器における一度の施解錠操作で複数の電気錠の施解錠処理が行える電気錠施解錠制御システムを提供する。【解決手段】施錠解錠釦と施解錠状態表示部とを有する電気錠操作器と、この電気錠操作器に信号線を通じて接続され、電気錠操作器より電源供給を受けて動作する電気錠アダプタと、この電気錠アダプタに信号線を通じて接続した複数の電気錠とで構成される電気錠施解錠システムにおいて、電気錠操作器の施錠解錠釦の操作により駆動信号の出力をさせれば、電気錠アダプタに対して、複数の電気錠の施解錠制御をさせる複数錠施解錠制御手段Ｃ１を備える構成とした。【選択図】図１
2004316088.tif 000002
【特許請求の範囲】
【請求項１】
施錠解錠釦と施解錠状態表示部とを有する電気錠操作器と、この電気錠操作器に信号線を通じて接続され、上記電気錠操作器より電源供給を受けて動作する電気錠アダプタと、この電気錠アダプタに信号線を通じて接続した複数の電気錠とで構成される電気錠施解錠システムにおいて、
上記電気錠操作器の施錠解錠釦の操作により駆動信号の出力をさせれば、上記電気錠アダプタに対して、上記複数の電気錠の施解錠制御をさせる複数錠施解錠制御手段を備える構成とした電気錠施解錠制御システム。
【請求項２】
請求項１において、
上記複数錠施解錠制御手段は、上記複数の電気錠の各々に対して、順次駆動信号を送出する時間差施解錠制御をする時間差施解錠制御手段を含む構成とした電気錠施解錠制御システム。
【請求項３】
請求項２において、
上記電気錠操作器の解錠釦が操作され駆動信号が送出されてから、駆動信号要求信号を受けたときには、再度駆動信号を出力する駆動信号再出力手段を更に備えており、
上記時間差施解錠制御手段は、上記電気錠操作器の施錠解錠釦が操作され駆動信号が送出されたときには、いずれかの電気錠に対して駆動信号を送出して解錠させ、その電気錠の施解錠を受けて、上記駆動信号再出力手段に駆動信号要求を行い、これに対する駆動信号を受けると、他方の電気錠に対して駆動信号を送出して施解錠させ、その他方の電気錠の施解錠を受けて、施解錠処理完了信号を上記電気錠操作器に送出して施解錠状態表示をさせる構成とした電気錠施解錠制御システム。
【請求項４】
請求項２において、
上記電気錠操作器の解錠釦が操作され駆動信号が送出されてから所定時間を計時し、その時間内に施解錠処理完了信号を受信しない際には再度駆動信号を出力する駆動信号再出力手段を更に備えており、
上記時間差施解錠制御手段は、上記電気錠操作器の施錠解錠釦が操作され駆動信号が送出されたときには、いずれかの電気錠に対して駆動信号を送出して施解錠させ、その電気錠の施解錠を受けた後、上記駆動信号再出力手段より再度駆動信号を受けたときには、他方の電気錠に対して駆動信号を送出して施解錠させ、その他方の電気錠の施解錠を受けて、解錠処理完了信号を上記電気錠操作器に送出して施解錠状態表示をさせる構成とした電気錠施解錠制御システム。
【発明の詳細な説明】
【０００１】
【発明の属する技術分野】
本発明は、一般家屋などで用いられる電気錠施解錠制御システムに関する。
【０００２】
【従来の技術】
従来より、一般家屋などにおいては、特許文献１に示すような電気錠施解錠制御システムが広く使用されている。図７は、この種のシステム構成を示しており、電気錠操作器１００、電気錠操作器１００から電源を受けて動作する電気錠アダプタ２００、電気錠３００とで構成されており、電気錠アダプタ２００を介在させることで、６線式の電気錠３００と２線式の電気錠操作器１００とを接続できるようにしている。
【０００３】
このものは、電気錠操作器１００の施錠解錠釦を操作すると、電気錠駆動信号が２線式信号線Ｌ１を通じてアダプタ２００に送出され、アダプタ２００からは６線式に対応した電気錠駆動信号が６線式信号線Ｌ２を通じて電気錠３００に送出され、電気錠３００が施解錠される。そして、電気錠３００からは施解錠完了信号がアダプタ２００に送出され、アダプタ２００からは施解錠処理終了信号が操作器１００に送出されて、操作器１００で施解錠表示がなされる。
【０００４】
【特許文献１】
特開平１０−３２５２７１号公報
【０００５】
【発明が解決しようとする課題】
ところで、近時の防犯意識の高まりに応じて、以下に示すようないわゆる２ロック式のシステムが開発されている。このものは、図８に示すように、電気錠アダプタ２００には、複数の電気錠３００（＃１，＃２）が６線式信号線Ｌ２を通じて接続されており、施錠解錠釦の一度の操作で、これらの電気錠３００を施解錠するようにして、一層の防犯効果に資することを目的としている。
【０００６】
施錠解錠釦の一度の操作で、複数の電気錠３００を施解錠するには、以下の３通りの手法がある。
【０００７】
まず、施錠解錠釦の一度の操作で、複数の電気錠３００を同時に施解錠する手法があるが、この手法では、アダプタ２００における施解錠電流の消費が大きくなるため、操作器１００の電源容量を大きくする必要が生ずる。
【０００８】
また、時間差で各電気錠３００を駆動させる手法もあるが、現状の操作器１００は一度の施錠解錠釦の操作に対して、一度だけ駆動信号を出力する仕様であるため、対応できない。
【０００９】
更に、電気錠アダプタ２００に独自に電源を持たせ、操作器１００から一度駆動信号を受け取れば、各電気錠３００を時間差で駆動させる構成とする手法も考えられるが、アダプタ２００自体に電源を組み込む必要がありアダプタ２００のサイズが大きくなったりしていた。
【００１０】
本発明は、上記事情を考慮してなされたものであり、アダプタに個別の電源を組み込むことなく、かつ、操作器の電源容量を大きくすることなく、操作器における一度の施解錠操作で複数の電気錠の施解錠処理が行える電気錠施解錠制御システムを提供することを目的としている。
【００１１】
【課題を解決するための手段】
上記目的を達成するために、本発明の請求項１に記載の電気錠施解錠制御システムでは、施錠解錠釦と施解錠状態表示部とを有する電気錠操作器と、この電気錠操作器に信号線を通じて接続され、電気錠操作器より電源供給を受けて動作する電気錠アダプタと、この電気錠アダプタに信号線を通じて接続した複数の電気錠とで構成される電気錠施解錠システムにおいて、電気錠操作器の施錠解錠釦の操作により駆動信号の出力をさせれば、電気錠アダプタに対して、複数の電気錠の施解錠制御をさせる複数錠施解錠制御手段を備える構成とした。
【００１２】
この電気錠施解錠制御システムでは、電気錠操作器の施錠解錠釦操作をすれば、電気錠アダプタに電源供給がなされ、そのアダプタに駆動信号が一度送出させたことをトリガとして、複数錠施解錠制御手段が複数の電気錠の施解錠制御をなす。
【００１３】
これにより、アダプタに個別の電源を組み込むことなく、かつ、操作器の電源容量を大きくすることなく、操作器における一度の施解錠操作で複数の電気錠の施解錠処理が行える電気錠施解錠制御システムを提供することができる。
【００１４】
請求項２に記載の電気錠施解錠制御システムでは、複数錠施解錠制御手段は、複数の電気錠の各々に対して、順次駆動信号を送出する時間差施解錠制御をする時間差施解錠制御手段を含む構成とした。
【００１５】
この電気錠施解錠制御システムでは、請求項１に記載の複数錠施解錠制御手段は、時間差で各電気錠に対して順次駆動信号を送出する時間差施解錠制御手段を組み込んでおり、請求項１の複数錠施解錠制御手段が操作器から駆動信号を受け取ると、操作器からの電源供給を受けて、複数の電気錠に対して時間差で施解錠制御する。
【００１６】
これにより、アダプタから複数の電気錠を一度に制御する場合と比べて、アダプタにおける消費電源が小さくなり、アダプタに供給する電源が小さくてもすむため、操作器における電源容量を大きくする必要がなくなる。
【００１７】
請求項３に記載の電気錠施解錠制御システムでは、電気錠操作器の施錠解錠釦が操作され駆動信号が送出されてから、駆動信号要求信号を受けたときには、再度駆動信号を出力する駆動信号再出力手段を更に備えており、時間差施解錠制御手段は、電気錠操作器の施錠解錠釦が操作され駆動信号が送出されたときには、いずれかの電気錠に対して駆動信号を送出して施解錠させ、その電気錠の解錠を受けて、駆動信号再出力手段に駆動信号要求を行い、これに対する駆動信号を受けると、他方の電気錠に対して駆動信号を送出して施解錠させ、その他方の電気錠の施解錠を受けて、施解錠処理完了信号を電気錠操作器に送出して施解錠状態表示をさせる構成とした。
【００１８】
この電気錠施解錠制御システムでは、電気錠アダプタは、いずれかの電気錠を施解錠させると、あらためて駆動信号再出力手段に駆動信号の送出を要求して、これに応答して送出された駆動信号でもって、残りの電気錠を施解錠させる。これにより、請求項１または２の効果を発揮する具体的なシステム構成を提案することができる。
【００１９】
請求項４に記載の電気錠施解錠制御システムでは、電気錠操作器の施錠解錠釦が操作され駆動信号が送出されてから所定時間を計時し、その時間内に施解錠処理完了信号を受信しない際には再度駆動信号を出力する駆動信号再出力手段を更に備えており、時間差施解錠制御手段は、電気錠操作器の施錠解錠釦が操作され駆動信号が送出されたときには、いずれかの電気錠に対して駆動信号を送出して施解錠させ、その電気錠の施解錠を受けた後、駆動信号再出力手段より再度駆動信号を受けたときには、他方の電気錠に対して駆動信号を送出して施解錠させ、その他方の電気錠の施解錠を受けて、施解錠処理完了信号を電気錠操作器に送出して施解錠状態表示をさせる構成とした。
【００２０】
この電気錠施解錠制御システムでは、施解錠処理完了信号を所定時間受けなかったら再度駆動信号を出力する構成の電気錠操作器に適用させるべく提案されている。
【００２１】
つまり、電気錠アダプタは、全ての電気錠の施解錠完了すれば施解錠処理完了信号を操作器に送るが、一方の電気錠しか施解錠していない場合、その施解錠処理完了信号は送らない。この施解錠処理完了信号が所定時間操作器に送出されないと、先述のように、操作器からは再度駆動信号がアダプタに送出されるので、アダプタはこれを受けて、他方の電気錠の施解錠制御を行う。
【００２２】
これにより、施解錠処理完了信号を所定時間受けなかったら再度駆動信号を出力する構成の電気錠操作器に適用させて、請求項１または２の効果を発揮する具体的なシステム構成を提案することができる。
【００２３】
【発明の実施の形態】
以下に、本発明の実施の形態について、図面とともに説明する。図１は、本発明の電気錠施解錠制御システムの要部構成の一例を示す図である。
【００２４】
このシステムＳは、図示しない施錠解錠釦の操作により電気錠を駆動する駆動信号を出力する駆動信号出力手段Ａと、後述するように再度駆動信号を出力する駆動信号再出力手段Ｂと、電源供給手段Ｄからの電源供給を受けて、駆動信号出力手段Ａや駆動信号再出力手段Ｂから受けた駆動信号により、複数の電気錠３（＃１，＃２）の施解錠制御を行う複数錠施解錠制御手段Ｃ１と、図示しない施錠解錠釦の操作を受けて、複数錠施解錠制御手段Ｃ１に駆動電源を供給する電源供給手段Ｄと、複数の電気錠３（＃１，＃２）とで構成される。
【００２５】
複数錠施解錠制御手段Ｃ１は、時間差施解錠制御手段Ｃ２を含んでおり、この時間差施解錠制御手段Ｃ２は、数錠施解錠制御手段Ｃ１が駆動信号を受け取ると、電源供給手段Ｄからの電源供給を受けて、複数の電気錠３に対して時間差で施解錠制御する。
【００２６】
このような構成を具体的な装置を用いて具体化したものが図２である。このものでは、電気錠操作器１と電気錠アダプタ２とを２線式信号線Ｌ１を通じて接続し、電気錠アダプタ２と複数の電気錠３（＃１，＃２）とを６線式信号線Ｌ２を通じて接続した構成としている。
【００２７】
このシステムＳでは、電気錠操作器１は、施錠あるいは解錠をさせるために操作する施錠解錠釦Ｂと、電気錠３全てが施解錠完了したときにその施解錠状態を表示する施解錠状態表示部Ｒとを有する。そして、電気錠操作器１は、その内部に、駆動信号出力手段Ａ、駆動信号再出力手段Ｂ、電源供給手段Ｄを備える。また、電気錠アダプタ２は、その内部に、複数錠施解錠制御手段Ｃ１を組みこんでいる。
【００２８】
電気錠操作器１の内部構成は、詳細には、図３に示すようになっており、この電気錠操作器１を制御するマイコン１０と、施錠解錠釦Ｂを有する操作押釦入力回路１１と、施解錠状態表示部Ｒを有する表示回路１２と、電気錠アダプタ２に対して駆動信号を出力する電気錠駆動信号回路１３と、電気錠アダプタ２との間で各種信号の送受をする伝送信号送受信回路１４と、この電気錠操作器１や電気錠アダプタ２の駆動電源を供給する電源回路１５とを備える。
【００２９】
この電気錠操作器１では、先述したように、駆動信号出力手段Ａ、駆動信号再出力手段Ｂ、電源供給手段Ｄを組み込んでおり、駆動信号出力手段Ａ、駆動信号再出力手段Ｂは、マイコン１０と駆動信号回路１３とで構成される。また、電源供給手段Ｄは電源回路１５で構成される。
【００３０】
また、電気錠アダプタ２の内部構成は、詳細には、図４に示すようになっており、この電気錠アダプタ２を制御するマイコン２０と、電気錠操作器１から受けた駆動信号を６線式信号線Ｌ２に対応する信号形式に変換し、後述する送出手法でもって各電気錠３に対して駆動信号を送出する駆動信号制御回路２１と、電気錠３の各々の施解錠状態を示す施解錠完了信号を受ける電気錠状態信号入力回路２２，２３と、電気錠操作器１との間で各種信号の伝送をする伝送信号送受信回路２４とを備える。
【００３１】
この電気錠アダプタ２では、先述したように、複数錠施解錠制御手段Ｃ１を組み込んでおり、これに含まれる時間差施解錠制御手段Ｃ２とともに、マイコン２０と駆動信号制御回路２１とで構成される。
【００３２】
このような構成によれば、図５のフローチャートに示すような施解錠処理ができる。すなわち、電気錠操作器１で施錠解錠釦Ｂが操作されると、電気錠アダプタ２への電源供給が開始され、駆動信号が電気錠アダプタ２に送出される（１００，１０１）。すると、電気錠アダプタ２では、電気錠３（＃１）に駆動信号を送出し（１０２）、これを受けた電気錠３（＃１）は、施解錠動作をし、これが完了すると施解錠完了信号を電気錠アダプタ２に送出する（１０３，１０４）。
【００３３】
これを電気錠アダプタ２が受けると、電気錠操作器１に対して駆動信号送出の要求を行い（１０５）、これを受けた電気錠操作器１は、再度駆動信号を電気錠アダプタ２に送出する（１０６）。
【００３４】
これを受けた電気錠アダプタ２は、残りの電気錠、つまり、電気錠３（＃２）に駆動信号を送出し（１０７）、これを受けた電気錠３（＃２）は、施解錠動作をし、これが完了すると施解錠完了信号を電気錠アダプタ２に送出する（１０８，１０９）。
【００３５】
電気錠アダプタ２は、すべての電気錠３より施解錠完了信号を受け取ると、電気錠操作器１に対して施解錠処理終了信号を送出し（１１０）、これを受けた電気錠操作器１は施解錠表示をする（１１１）。
【００３６】
一方、図６のフローチャートに示すような施解錠処理もできる。ここでは、施解錠処理完了信号を所定時間受けなかったら再度駆動信号を出力する構成の電気錠操作器１を本システムに適用させている。
【００３７】
すなわち、電気錠操作器１は、施錠解錠釦Ｂの操作を受けて駆動信号を出力してからは、駆動信号再出力手段Ｂによる所定時間の計時を始め（２００）、その時間内に、先述した電気錠アダプタ２からの施解錠処理終了信号を受けないときには（２０１、Ｎ）、再度駆動信号を送出する（１０６）構成としている。
【００３８】
本構成によれば、以下の電気錠施解錠処理をなす。すなわち、電気錠操作器１で施錠解錠釦Ｂが操作されると、電気錠アダプタ２への電源供給が開始され、駆動信号が電気錠アダプタ２に送出される（１００，１０１）。
【００３９】
すると、電気錠操作器１では、所定時間の計時が始まり、その期間内に施解錠処理完了信号を電気錠アダプタ２から受けるかどうかを監視する（２００，２０１）。その時間内に、すべての電気錠３の施解錠が完了して電気錠アダプタ２から施解錠処理信号を受けると、施解錠表示をなすが、その時間内に施解錠処理信号を受けないときには、再度電気錠アダプタ２に対して駆動信号を送出する。
【００４０】
電気錠アダプタ２は、電気錠操作器１から再度送出を受けた駆動信号により、残りの電気錠、つまり、電気錠３（＃２）に駆動信号を送出し（１０７）、これを受けた電気錠３（＃２）は、施解錠動作をし、これが完了すると施解錠完了信号を電気錠アダプタ２に送出する（１０８，１０９）。
【００４１】
【発明の効果】
以上の説明からも理解できるように、請求項１に記載の電気錠施解錠制御システムでは、電気錠操作器の施錠解錠釦操作をすれば、電気錠アダプタに電源供給がなされ、そのアダプタに駆動信号が一度送出させたことをトリガとして、複数錠施解錠制御手段が複数の電気錠の施解錠制御をなす。
【００４２】
これにより、アダプタに個別の電源を組み込むことなく、かつ、操作器の電源容量を大きくすることなく、操作器における一度の施解錠操作で複数の電気錠の施解錠処理が行える電気錠施解錠制御システムを提供することができる。
【００４３】
請求項２に記載の電気錠施解錠制御システムでは、請求項１の複数錠施解錠制御手段が操作器から駆動信号を受け取ると、操作器からの電源供給を受けて、複数の電気錠に対して時間差で施解錠制御する。
【００４４】
これにより、アダプタから複数の電気錠を一度に制御する場合と比べて、アダプタにおける消費電源が小さくなり、アダプタに供給する電源が小さくてもすむため、操作器における電源容量を大きくする必要がなくなる。
【００４５】
請求項３に記載の電気錠施解錠制御システムでは、電気錠アダプタは、いずれかの電気錠を施解錠させると、あらためて駆動信号再出力手段に駆動信号の送出を要求して、これに応答して送出された駆動信号でもって、残りの電気錠を施解錠させる。これにより、請求項１または２の効果を発揮する具体的なシステム構成を提案することができる。
【００４６】
請求項４に記載の電気錠施解錠制御システムでは、電気錠操作器は施錠解錠釦の操作を受けて駆動信号を電気錠アダプタに送出後、所定時間の間に施解錠処理完了信号を受けないときには、再度駆動信号を送出し、これを受けた電気錠アダプタに残りの電気錠の施解錠制御をさせるため、施解錠処理完了信号を所定時間受けなかったら再度駆動信号を出力する構成の電気錠操作器に適用させて、請求項１または２の効果を発揮する具体的なシステム構成を提案することができる。
【図面の簡単な説明】
【図１】本発明システムの要部構成の一例を示すブロック図である。
【図２】本発明システムの具体的構成の一例を示すブロック図である。
【図３】電気錠操作器の内部構成の一例を示すブロック図である。
【図４】電気錠アダプタの内部構成の一例を示すブロック図である。
【図５】本発明システムの施解錠処理の一例について示すフローチャートである。
【図６】本発明システムの施解錠処理の他例について示すフローチャートである。
【図７】従来システムの構成を示すブロック図である。
【図８】従来システムの構成を示すブロック図である。
【符号の説明】
Ｓ・・・電気錠施解錠制御システム
Ａ・・・駆動信号出力手段
Ｂ・・・駆動信号再出力手段
Ｃ１・・・複数錠施解錠制御手段
Ｃ２・・・時間差施解錠制御手段
Ｄ・・・電源供給手段
１・・・電気錠操作器
２・・・電気錠アダプタ
３・・・電気錠
１０，２０・・・マイコン
１３・・・電気錠駆動信号回路
１５・・・電源回路
２１・・・駆動信号制御回路
【図１】
2004316088.tif 000003
【図２】
2004316088.tif 000004
【図３】
2004316088.tif 000005
【図４】
2004316088.tif 000006
【図５】
2004316088.tif 000007
【図６】
2004316088.tif 000008
【図７】
2004316088.tif 000009
【図８】
2004316088.tif 000010